(57)【要約】１ＩＥＥＥ  ８０２．１１（ＷｉＦｉ）とＢｌｕｅｔｏｏｔｈとを組み合せたトランシーバおよびその動作方法は、各種類の送信が送信または受信されるとそれを監視するために通話中信号を利用し、かつタイム・スロットの利用を同期化するために同期信号を利用する。一実施形態では、ＢｌｕｅｔｏｏｔｈおよびＩＥＥＥ  ８０２．１１無線システムをリンクする簡易な２線インターフェースが開示される。別の実施形態では、ＢｌｕｅｔｏｏｔｈおよびＩＥＥＥ  ８０２．１１サービスはスケジュール設定、動作モード、チャネル使用およびデバイス状態を含む情報を「メールボックス」と呼ばれるメモリのような共用リソースを介して交換することが可能である。
2006521714.tif 000002
【特許請求の範囲】
【請求項１】
第１の動作周波数範囲で動作する第１ワイヤレス・システムと、第２の動作周波数範囲で動作する第２ワイヤレス・システムとの間の送信干渉を回避する方法であって、前記第１ワイヤレス・システムと前記第２ワイヤレス・システムとが同一場所に配置されており、該方法
前記第１ワイヤレス・システムから前記第２ワイヤレス・システムに無線状態の情報を送る工程と、
前記第１ワイヤレス・システムによって供給された媒体状態の情報に基づいて前記第２ワイヤレス・システムによる送信を遅延させる工程とを含み、
前記第１ワイヤレス・システムと前記第２ワイヤレス・システムとの内の一方がＲＦタイム・スロットで送信し、
前記第１ワイヤレス・システムと前記第２ワイヤレス・システムとの双方の同時的な無線送信が回避される方法。
【請求項２】
第１の動作周波数範囲で動作する第１ワイヤレス・システムと、第２の動作周波数範囲で動作する第２ワイヤレス・システムとの間の送信干渉を回避する方法であって、前記第１ワイヤレス・システムと前記第２ワイヤレス・システムとが同一場所に配置されており、
前記第１ワイヤレス・システムによって利用される第１の動作周波数範囲は前記第２ワイヤレス・システムによって利用される第２の動作周波数範囲と少なくとも部分的に重複する請求項１に記載の方法。
【請求項３】
第１の動作周波数範囲で動作する第１ワイヤレス・システムと、第２の動作周波数範囲で動作する第２ワイヤレス・システムとの間の送信干渉を回避する方法であって、前記第１ワイヤレス・システムと前記第２ワイヤレス・システムとが同一場所に配置されており、
前記第２ワイヤレス・システムから前記第１ワイヤレス・システムに無線状態の情報を送る工程をさらに含む請求項１に記載の方法。
【請求項４】
第１の動作周波数範囲で動作する第１ワイヤレス・システムと、第２の動作周波数範囲で動作する第２ワイヤレス・システムとの間の送信干渉を回避する方法であって、前記第１ワイヤレス・システムと前記第２ワイヤレス・システムとが同一場所に配置されており、
前記無線状態の情報は送信のタイミングを含む請求項１に記載の方法。
【請求項５】
第１の動作周波数範囲で動作する第１ワイヤレス・システムと、第２の動作周波数範囲で動作する第２ワイヤレス・システムとの間の送信干渉を回避する方法であって、前記第１ワイヤレス・システムと前記第２ワイヤレス・システムとが同一場所に配置されており、前記無線状態の情報は、
受信動作のタイミングを含む請求項１に記載の方法。
【請求項６】
前記無線状態の情報は、
周波数ホッピング情報を含む請求項１に記載の方法。
【請求項７】
前記無線状態の情報は、
ＩＥＥＥ８０２．１１チャネル情報を含む請求項１に記載の方法。
【請求項８】
第１の動作周波数範囲で動作する第１ワイヤレス・システムと、第２の動作周波数範囲で動作する第２ワイヤレス・システムとの間の送信干渉を回避する方法であって、前記第１ワイヤレス・システムと前記第２ワイヤレス・システムとが同一場所に配置されており、
前記第１ワイヤレス・システムはピコネットである請求項１に記載の方法。
【請求項９】
第１の動作周波数範囲で動作する第１ワイヤレス・システムと、第２の動作周波数範囲で動作する第２ワイヤレス・システムとの間の送信干渉を回避する方法であって、前記第１ワイヤレス・システムと前記第２ワイヤレス・システムとが同一場所に配置されており、
前記第２ワイヤレス・システムはＷＬＡＮである請求項１に記載の方法。
【請求項１０】
第１の動作周波数範囲で動作する第１ワイヤレス・システムと、第２の動作周波数範囲で動作する第２ワイヤレス・システムとの間の送信干渉を回避する方法であって、前記第１ワイヤレス・システムと前記第２ワイヤレス・システムとが同一場所に配置されており、
前記第１ワイヤレス・システムはピコネットであり、
前記第２ワイヤレス・システムはＷＬＡＮである請求項１に記載の方法。
【請求項１１】
第１の動作周波数範囲で動作する第１ワイヤレス・システムと、第２の動作周波数範囲で動作する第２ワイヤレス・システムとの間の送信干渉を回避する方法であって、前記第１ワイヤレス・システムと前記第２ワイヤレス・システムとが同一場所に配置されており、
前記ピコネットはＢＬＵＥＴＯＯＴＨピコネットであり、
前記ＷＬＡＮはＩＥＥＥ８０３．１１ＷＬＡＮである請求項１に記載の方法。
【請求項１２】
第１の動作周波数範囲で動作する第１ワイヤレス・システムと、第２の動作周波数範囲で動作する第２ワイヤレス・システムとを組み込んだデバイスであって、前記第１ワイヤレス・システムと前記第２ワイヤレス・システムとが同一場所に配置されており、
直接通信リンクを介して前記第１ワイヤレス・システムから前記第２ワイヤレス・システムへと供給され、前記第１ワイヤレス・システムでの受信のタイミングを示す第１通信中信号と、
直接通信リンクを介して前記第２ワイヤレス・システムから前記第１ワイヤレス・システムへと供給され、前記第２ワイヤレス・システムでの受信のタイミングを示す第２通信中信号と、
前記第１通信中信号に応答し、前記第１ワイヤレス・システムのアクティブな送信状態により前記第２ワイヤレス・システムが送信を遅延させるように構成されたコントローラと、を含み、
前記第１ワイヤレス・システムと前記第２ワイヤレス・システムとの内の一方がＲＦタイム・スロットで送信するデバイス。
【請求項１３】
第１の動作周波数範囲で動作する第１ワイヤレス・システムと、第２の動作周波数範囲で動作する第２ワイヤレス・システムとを組み込んだデバイスであって、前記第１ワイヤレス・システムと前記第２ワイヤレス・システムとが同一場所に配置されており、前記直接通信リンクは、
前記第１ワイヤレス・システムと前記第２ワイヤレス・システムとの間にメールボックスを形成する共有リソースを含む請求項１２に記載のデバイス。
【請求項１４】
第１の動作周波数範囲で動作する第１ワイヤレス・システムと、第２の動作周波数範囲で動作する第２ワイヤレス・システムとを組み込んだデバイスであって、前記第１ワイヤレス・システムと前記第２ワイヤレス・システムとが同一場所に配置されており、前記直接通信リンクは、
前記第１ワイヤレス・システムと前記第２ワイヤレス・システムとの間にハードワイヤード・インターフェースを含む請求項１２に記載のデバイス。
【請求項１５】
第１の動作周波数範囲で動作する第１ワイヤレス・システムと、第２の動作周波数範囲で動作する第２ワイヤレス・システムとを組み込んだデバイスであって、前記第１ワイヤレス・システムと前記第２ワイヤレス・システムとが同一場所に配置されており、
前記ハードワイヤード・インターフェースは、
２線双方向インターフェースを含む請求項１４に記載のデバイス。
【請求項１６】
第１の動作周波数範囲で動作する第１ワイヤレス・システムと、第２の動作周波数範囲で動作する第２ワイヤレス・システムとを組み込んだデバイスであって、前記第１ワイヤレス・システムと前記第２ワイヤレス・システムとが同一場所に配置されており、
前記第１ワイヤレス・システムはＢｌｕｅｔｏｏｔｈ無線フロントエンドを含むとともに、
前記第２ワイヤレス・システムはＩＥＥＥ８０２．１１無線フロントエンドを含む請求項１２に記載のデバイス。
【請求項１７】
第１の動作周波数範囲で動作する第１ワイヤレス・システムと、第２の動作周波数範囲で動作する第２ワイヤレス・システムとを組み込んだデバイスであって、前記第１ワイヤレス・システムと前記第２ワイヤレス・システムとが同一場所に配置されており、
前記第１ワイヤレス・システムはＢｌｕｅｔｏｏｔｈ同期信号を発生し、前記同期信号は前記第１ワイヤレス・システムのアクティブなタイム・スロット間のＩＥＥＥ８０２．１１パケットの多重化を制御する請求項１６に記載のデバイス。
【請求項１８】
第１の動作周波数範囲で動作する第１ワイヤレス・システムと、第２の動作周波数範囲で動作する第２ワイヤレス・システムとを組み込んだデバイスであって、前記第１ワイヤレス・システムと前記第２ワイヤレス・システムとが同一場所に配置されており、前記コントローラは、
前記第１ワイヤレス・システムと前記第２ワイヤレス・システムとの間で情報を交換するための少なくとも１つのメールボックスを備える請求項１２に記載のデバイス。
【請求項１９】
第１の動作周波数範囲で動作する第１ワイヤレス・システムと、第２の動作周波数範囲で動作する第２ワイヤレス・システムとを同一場所に配置する方法であって、
前記第１ワイヤレス・システムでのアクティブな受信のタイミングを示す直接通信リンクを介して前記第１ワイヤレス・システムによって第１通信中信号を前記第２ワイヤレス・システムへと供給する工程と、
前記第２ワイヤレス・システムでのアクティブな受信のタイミングを示す前記直接通信リンクを介して前記第２ワイヤレス・システムによって第２通信中信号を前記第１ワイヤレス・システムへと供給する工程と、
前記第１通信中信号に応答し、前記第１ワイヤレス・システムのアクティブな送信状態により前記第２ワイヤレス・システムが送信を遅延するようにさせるコントローラとを含み、
前記第１ワイヤレス・システムと前記第２ワイヤレス・システムの一方がＲＦタイム・スロットで送信する方法。
【請求項２０】
第１の動作周波数範囲で動作する第１ワイヤレス・システムと、第２の動作周波数範囲で動作する第２ワイヤレス・システムとを同一場所に配置する方法であって、前記直接通信リンクは、
前記第１ワイヤレス・システムと前記第２ワイヤレス・システムとの間にメールボックスを形成する共有リソースを含む請求項１９に記載の方法。
【請求項２１】
第１の動作周波数範囲で動作する第１ワイヤレス・システムと、第２の動作周波数範囲で動作する第２ワイヤレス・システムとを同一場所に配置する方法であって、前記直接通信リンクは、
前記第１ワイヤレス・システムと前記第２ワイヤレス・システムとの間にハードワイヤード・インターフェースを含む請求項１９に記載の方法。
【請求項２２】
第１の動作周波数範囲で動作する第１ワイヤレス・システムと、第２の動作周波数範囲で動作する第２ワイヤレス・システムとを同一場所に配置する方法であって、
前記ハードワイヤード・インターフェースは、
２線双方向インターフェースを含む請求項２１に記載の方法。
【請求項２３】
第１の動作周波数範囲で動作する第１ワイヤレス・システムと、第２の動作周波数範囲で動作する第２ワイヤレス・システムとを同一場所に配置する方法であって、前記第１ワイヤレス・システムと前記第２ワイヤレス・システムとが同一場所に配置されており、
前記第１ワイヤレス・システムはＢｌｕｅｔｏｏｔｈ無線フロントエンドを含むとともに、
前記第２ワイヤレス・システムはＩＥＥＥ８０２．１１無線フロントエンドを含む請求項１９に記載の方法。
【請求項２４】
第１の動作周波数範囲で動作する第１ワイヤレス・システムと、第２の動作周波数範囲で動作する第２ワイヤレス・システムとを同一場所に配置する方法であって、前記第１ワイヤレス・システムと前記第２ワイヤレス・システムとが同一場所に配置されており、
前記第１ワイヤレス・システムと前記第２ワイヤレス・システムとの間で情報を交換するための少なくとも１つのメールボックスを備える工程をさらに含む請求項１９に記載の方法。
【発明の詳細な説明】
【技術分野】
【０００１】
本発明は異なる２つのワイヤレス無線システムを組み込んだ通信システムにおける相互運用性および共存のメカニズムに関する。より具体的には、本発明は、ハードウェアを利用したリアルタイムのシグナリング・インターフェースを備えることによって、異質な２つのワイヤレス・サービス（例えばＢｌｕｅｔｏｏｔｈとＩＥＥＥ  ８０２．１１）間でアドレス指定されたパケットを送受信しつつ、ローカルとネットワークの干渉を最小限に抑え、または防止する方法およびシステムを提供する。
【背景技術】
【０００２】
本出願は、全体が参照により本明細書に明確に組み込まれている、２００２年１１月１３日に出願した米国特許出願第６０／２４５，８９４号「ＩＥＥＥ８０２．１１およびＢｌｕｅｔｏｏｔｈ  通信システムにおける相互運用性および共存の考察」の優先権を主張するものである。
【０００３】
ワイヤレス・システムは典型的には共通の媒体、すなわち空中で動作する。様々なシステム間の干渉を回避するため、特定のワイヤレス・システムによる動作用に典型的には周波数帯域が割り当てられる。しかし、ワイヤレス・システムは極めて普及しており、したがって利用可能な周波数帯域は既に割り当てられている。テクノロジーの前進とともに、より高い周波数がますます有用になっている。
【０００４】
それにもかかわらず、周波数帯域が混み合っていることにより様々なワイヤレス・システム間での動作の接近は避けられない。おそらくはほとんどの状況には耐えられるものの、このように競合するワイヤレス・システムを共用のシステムに、しかも共用のデバイスおよび／または共用のプリント基板に設置すると、異質なワイヤレス・システム間の干渉問題は適切に回避することが困難な問題になる。
【０００５】
このような場合が、より一般的には「ワイヤレスＬＡＮ」または「ＷｉＦｉ」として知られているワイヤレス・システムＩＥＥＥ  ８０２．１１、およびＢｌｕｅｔｏｏｔｈ（商標）として知られている急速に出現したワイヤレス・ピコネット・システムである。最初にＷｉＦｉとＢｌｕｅｔｏｏｔｈの双方の性質と動作の背景をある程度説明する。
【０００６】
ＷｉＦｉ、すなわちＩＥＥＥ  ８０２．１１は２．４から２．５ＧＨｚのＩＳＭ（産業、科学および医学）帯域で動作するワイヤレス・システムの標準規格である。このＩＳＭ帯域は全世界で利用可能であり、スペクトル拡散システム用に無認可の動作が可能である。米国および欧州の双方には２，４００から２，４８３．５ＭＨｚの帯域が割り当てられ、一方、日本のようなある別の国には２．４から２．５ＧＨｚのＩＳＭ帯域の別の部分が割り当てられている。８０２．１１標準規格は、アクセスポイント（ＡＰ）を利用したネットワークおよびアドホック・ネットワーク用にＭＡＣ（メディア・アクセス制御）プロトコルおよびＰＨＹ（物理層）プロトコルに照準を当てている。
【０００７】
アクセスポイントを利用したネットワークでは、グループまたはセル内の局は直接アクセスポイントにしか通信できない。このアクセスポイントはメッセージを同じセル内の着信局に、または有線配信システムを介して別のアクセスポイントに送り、そこから上記のメッセージは最終的に着信局に到達する。アドホック・ネットワークの場合は、局はピアツーピア・レベルで動作し、アクセスポイントまたは（有線）配信システムは存在しない。
【０００８】
８０２．１１標準規格は差分エンコードされたＢＰＳＫおよびＱＰＳＫ；ＧＦＳＫ（ガウスＦＳＫ）を有するＦＨＳＳ（周波数ホッピング・スペクトル拡散）；およびＰＰＭ（パルス位置変調）を伴う赤外線をサポートする。これらの３つの物理層プロトコル（ＤＳＳＳ、ＦＨＳＳおよび赤外線）は全て２および１Ｍｂｉｔ／秒のビット伝送速度をもたらす。８０２．１１標準規格はさらに拡張機能１１ａおよび１１ｂを含んでいる。拡張機能１１ｂは高速度のＣＣＫ（相補型記号変調）物理層プロトコル用のものであり、同じ２．４から２．５ＭＨｚのＩＳＭ帯域内でビット伝送速度１１および５．５Ｍｂｉｔ／秒ならびに２および１Ｍｂｉｔ／秒の基本ＤＳＳＳビット伝送速度をもたらす。拡張機能１１ａは高速度のＯＦＤＭ（直交周波数分割多重）物理層プロトコル標準用のものであり、５ＧＨｚの帯域内で６から５４Ｍｂｉｔ／秒のビット伝送速度をもたらす。
【０００９】
８０２．１１基本メディアの特性によって、ＣＳＭＡ／ＣＡ（搬送波感知多重アクセス／衝突回避方式）プロトコルおよび通信中メディア状態の後にランダムに与えられたバックオフ時間を経て相補型の物理層プロトコル間の相互運用が可能になる。加えて、指示された全てのトラフィックは、肯定確認応答が受信されない場合に再送信がスケジュール化される即時肯定確認応答（ＡＣＫフレーム）を利用する。８０２．１１ＣＳＭＡ／ＣＡプロトコルは衝突の公算が最も多い時点でメディアにアクセスする複数の局間の衝突の可能性を低減するように設計されている。最も高い衝突の公算は通信中の後にメディアが空いた直後に生ずる。その理由は、メディアが再び利用できるまで複数の局が待機していたからである。したがって、メディアの競合、衝突を解決するためにランダムなバックオフ時間の構成が利用される。加えて、８０２．１１  ＭＡＣはパケットのフラグメンテーション用の特定の機能的特性、ＲＴＳ／ＣＴＳ（送信要求／  送信準備完了）ポーリング・インタラクションを介したメディアの予約、および（時間制約サービスの場合）集中制御によるアクセス制御を規定する。
【００１０】
ＩＥＥＥ  ８０２．１１  ＭＡＣはさらに、局（ＳＴＡ）がＡＰの存在を監視できるようにするためにＡＰによって規則的な間隔で送信されるＢｅａｃｏｎフレームをも規定する。ＩＥＥＥ  ８０２．１１はさらに、ＳＴＡによって送信されたプローブ要求フレーム、およびその後のＡＰによって送信されたプローブ応答フレームを含む管理フレームのセットをも規定する。プローブ要求によってＳＴＡはあるチャネル周波数で動作しているＡＰがあるか否かを積極的に走査し、またＡＰに対してはそのＡＰがどのパラメータ設定を利用しているかをＳＴＡに示すことが可能になる。
【００１１】
別の典型的なワイヤレス・システムであるＢｌｕｅｔｏｏｔｈによって、１つの汎用近距離無線リンクで１つのデバイスを別のデバイスに接続する多くの専用ケーブルに置き換えることが可能になる。例えば、携帯電話とラップトップの双方に組み込まれたＢｌｕｅｔｏｏｔｈ無線技術はラップトップを携帯電話に接続するために現在所要されている煩わしいケーブルに取って代わるだろう。プリンタ、携帯情報端末（ＰＤＡ）、デスクトップ、コンピュータ、ファックス機、キーボード、ジョイスチックおよび事実上その他のどのデジタル機器もＢｌｕｅｔｏｏｔｈシステムの一部になり得る。しかし、ケーブルに取って代わられる無線デバイス以外にも、Ｂｌｕｅｔｏｏｔｈ無線技術は既存のデータ・ネットワーク、周辺機器、および固定されたネットワーク・インフラストラクチャから離れて接続される小型の個人用アドホック群を形成する機構への汎用の架け橋となる。
【００１２】
ノイズを伴う無線周波数環境で動作するように設計されたＢｌｕｅｔｏｏｔｈ無線システムは迅速な確認応答および周波数ホッピング方式を採用してリンクを強靭なものにしている。Ｂｌｕｅｔｏｏｔｈ無線モジュールはパケットの送受信の後に新たな周波数にホッピングすることによって他の信号からの干渉を回避する。同じ周波数帯域で動作する他のシステムと比較すると、Ｂｌｕｅｔｏｏｔｈ無線システムは典型的にはより迅速にホップし、より短いパケットを利用する。短いパケットおよび迅速なホッピングによって家庭用および業務用の電子レンジの影響が制限される。転送エラー修正（ＦＥＣ）を利用することで遠距離リンクに及ぼすランダム・ノイズの影響が制限される。調和していない環境での符号化が最適になる。Ｂｌｕｅｔｏｏｔｈ無線は２．４ＧＨｚの無認可のＩＳＭ帯域で動作する。干渉およびフェーディングを抑制するために周波数ホップ・トランシーバが採用される。トランシーバの複雑さを最小限にするために、成形バイナリＦＭ変調が採用される。実質データ伝送速度は１Ｍｂ／秒である。
【００１３】
全二重送信用に時分割二重方式が利用される。Ｂｌｕｅｔｏｏｔｈベースバンド・プロトコルは回路交換とパケット交換の組合せである。同期するパケット用にスロットを反転可能である。各パケットは異なるホップ周波数で送信される。パケットは名目的には単一のスロットをカバーするが、５つのスロットまでをカバーするように拡張可能である。Ｂｌｕｅｔｏｏｔｈは同時に７つまでの非同期データ・チャネル、同時に３つまでの同期音声チャネル、または非同期音声を同時にサポートするチャネルをサポートすることができる。各音声チャネルは６４ｋｂ／秒の同期（音声）リンクをサポートする。非同期チャネルは戻り方向で５７．６ｋｂ／秒を許容しつつ、最大７２１ｋｂ／秒の非対称リンクを双方向で、または４３２．６ｋｂ／秒の対称リンクをサポート可能である。
【００１４】
ＩＥＥＥ８０２．１１標準規格は既に充分に確立されており、この標準に基づいてローカルエリヤネットワークが実施されている。しかし、Ｂｌｕｅｔｏｏｔｈが市場に出現すると、家庭内の通信用の家庭環境で実施されることが見込まれる。
【００１５】
ＢｌｕｅｔｏｏｔｈとＩＥＥＥ  ８０２．１１の双方ともいずれも２．４ＧＨｚのＩＳＭ帯域で動作するので、互いに干渉し、各々独自の技術の性能が劣化する可能性がある。共存問題に折り合いをつけることで、異質な２つのワイヤレス技術がコロケートされたターゲット製品となろう。コロケーションの定義は不充分な絶縁で互いに物理的に近接した送信機、受信機、およびアンテナを有していることである。これは例えばこれらがいずれも同じＰＣ、または同類の製品内にある場合に生ずる。
【００１６】
このように、例えばラップトップ・コンピュータを有するある人が仕事場内のＩＥＥＥ  ８０２．１１  ワイヤレス・ローカルエリアネットワークに接続し、かつ仕事場の外のＢｌｕｅｔｏｏｔｈインターフェースを利用して携帯電話のようなデバイスに接続したい場合がある。ＷｉＦｉとＢｌｕｅｔｏｏｔｈは同一の周波数では動作しないが、互いに密接して配置されると干渉が問題になるのに充分に近い周波数にある。
【特許文献１】米国特許出願第６０／２４５，８９４号
【特許文献２】米国特許出願第２００１／１０６８９  Ａ１号
【発明の開示】
【発明が解決しようとする課題】
【００１７】
したがって、共通の空域で動作する異質なワイヤレス・システム、例えばＷｉＦｉとＢｌｕｅｔｏｏｔｈとの間の干渉を低減して、双方を正常に組み込むことができるようにする必要がある。
【課題を解決するための手段】
【００１８】
本発明の原理に基づいて、第１の動作周波数範囲で動作する第１ワイヤレス・システムと、第２の動作周波数範囲で動作する第２ワイヤレス・システムとの間の送信干渉を回避する方法が提供される。第１ワイヤレス・システムと第２ワイヤレス・システムとがコロケートされている。第１ワイヤレス・システムから第２ワイヤレス・システムに無線状態の情報が送られる。第１ワイヤレス・システムによって供給された媒体状態の情報に基づいて第２無線システムによる送信が遅延される。第１ワイヤレス・システムと第２ワイヤレス・システムの一方がＲＦタイム・スロットで送信する。第１ワイヤレス・システムと第２ワイヤレス・システムの双方の同時的な無線送信が回避される。
【００１９】
本発明の別の態様に基づいて、方法および装置は第１の動作周波数範囲で動作する第１ワイヤレス・システムと、第２の動作周波数範囲で動作する第２ワイヤレス・システムとを組み込んでいる。第１ワイヤレス・システムと第２ワイヤレス・システムとがコロケートされている。第１ワイヤレス・システムでの受信のタイミングを示す第１通信中信号が、直接通信リンクを介して第１ワイヤレス・システムから第２ワイヤレス・システムへと供給される。第２ワイヤレス・システムでの受信のタイミングを示す第２通信中信号が直接通信リンクを介して第２ワイヤレス・システムから第１ワイヤレス・システムへと供給される。コントローラが第１通信中信号に応答する。コントローラは第１ワイヤレス・システムのアクティブな送信状態により第２ワイヤレス・システムが送信を遅延するように構成されている。第１ワイヤレス・システムと第２ワイヤレス・システムの一方がＲＦタイム・スロットで送信する。
【発明を実施するための最良の形態】
【００２０】
本発明の特徴および利点は図面を参照した以下の説明から当業者には明らかになろう。
本発明は他方に対して無線状態に関する情報を送って２つの技術間で動作可能な共存を促進する、例えばＩＥＥＥ  ８０２．１１  ＭＡＣ（ワイヤレスＬＡＮ  ＭＡＣもしくはＷＭＡＣ）およびＢｌｕｅｔｏｏｔｈ  ベースバンド／ＭＡＣのような異質のワイヤレス・サービス間の通信を提供する。コロケートされたワイヤレス・サービス間の通信は、コロケートされている他方のワイヤレス・サービスが受信していると同時に、一方のワイヤレス・サービスが送信する状態を回避する。あるアプリケーションでは、ピコネットのようなＲＦタイム・スロット・ワイヤレス・システムで、他方のワイヤレス・サービスが送信中に一方のワイヤレス・サービスが受信する必要がある状態を回避するように２つのワイヤレス・サービスのフロントエンド間の直接的な通信が調整され、計画される。
【００２１】
一実施形態では、本発明はＢｌｕｅｔｏｏｔｈおよびＩＥＥＥ  ８０２．１１のようなコロケートされた２つの異質なワイヤレス・サービス間のハードウェアを利用したリアルタイムのシグナリング・インターフェースを提供する。各々のサービスが他方に対してその無線フロントエンドのアクティブ状態を通知できるようにするために、このハードワイヤード・インターフェースが備えられる。別の実施形態では、リアルタイムの状態情報を含むローカル・メッセージを他方のワイヤレス・サービスに送って、この場合も他方が受信中に一方のワイヤレス・サービスが送信する不都合な状態を調整し、回避できるようにするため、メールボックスのような双方向の、または共用のリソースが使用される。
【００２２】
ワイヤレス・サービス間の直接的な通信によって、それぞれのワイヤレス・サービスからのデータ送信の制御が可能になり、異質な２つのサービスの各々でアドレス指定されたパケットの送受信中に、ローカルとネットワークの干渉を最小限に抑える方法、また完全に防止する方法さえもが提供される。
【００２３】
本発明は、全体が参照により本明細書に明確に組み込まれている、Ａｗａｔｅｒ等の公刊されている米国特許出願第２００１／１０６８９  Ａ１号の改良を含んでいる。
近接しているものと想定すると、解析的な、および実験による分析から、他方のサービスのアクティブな受信期間中にいずれかのシステムが送信すると、最良の場合でも他方のサービスの処理能力が深刻に劣化し、ある最悪の場合は、この状態でシステムはある期間完全に使用不能になることが実証されている。
【００２４】
本発明は異質な２つのサービス（Ｂｌｕｅｔｏｏｔｈ（ＢＴ）およびＩＥＥＥ８０２．１１（ＷＬＡＮ））間でアドレス指定されたパケットの受信または送信中にローカルおよび遠隔のＴＸ干渉を防止することによって基本的な共存の問題を解決する方法を提供するものである。本発明は、ＢＴまたはＷＬＡＮサイドがそれぞれのメディアから実際にパケットを受信（または送信）している場合に、コロケートされている他のワイヤレス・サービスにそのことを示すために使用される明確に定義された簡単なシグナリング・インターフェースを導入することによって上記の問題を解決する。別の実施形態は２つのエンティティ間に適切なシステム情報を送る能力を付与する共用のリソースを提供する。
【００２５】
システム設計の１つの目標は、各サービスが個々の仕様によって規定されたデータ伝送速度および待ち時間に近づくことができるようにすることである。しかし、双方のサービスが同じ、または極めて類似した周波数にある帯域幅を要求する期間があるので、コロケートされた２つのサービス間の通信はＲＦドメインで見られる干渉を低減することが可能である。周波数帯域の即時の利用に関する決定を適切に下すために、双方のサービスによる動作モード情報、タイム・スロット情報、スケジュール情報、および／またはリアルタイムの状態情報の受け渡しを利用することができる。他方のサービスはローカルなサービスでもよく、または離隔しているが近接しているサービスでもよい。
【００２６】
動作時には、Ｂｌｕｅｔｏｏｔｈワイヤレス・サービスまたはデバイスは、Ｂｌｕｅｔｏｏｔｈ受信（ＲＸ）スロット（および送信（ＴＸ）スロットでさえも）が出現する予定にある場合にコロケートされている他方のワイヤレス・サービスにその情報を送る。Ｂｌｕｅｔｏｏｔｈの同期的接続指向型リンク（ＳＣＯ）と非同期的非接続型リンク（ＡＣＬ）の双方が実装されることが理想的であるが、ＷＬＡＮおよびスレーブ側の非同期ＢＴは、メッセージが受信される際に決定的な情報を提供することができないことに留意されたい。ＴＸおよび／またはＲＸスロットがＢｌｕｅｔｏｏｔｈデバイスで出現する時期に関する知識が他のワイヤレス・サービスによって与えられれば、他方のワイヤレス・サービスでスケジュール設定を実施可能であり、その結果、他方のワイヤレス・サービスのＲＦタイム・スロットの受信時に、ＷＬＡＮ内での送信スロット（ＴＸ）を阻止することか可能である。
【００２７】
したがって、受信ＲＸスロットが他のサービスで進捗中に、一方のサービスでの送信を好適に回避、または遅延させようとするメカニズムが利用される。効率上の目的のため、受信トラフィックが他方のサービスに実際に向けられている時に、一方のサービスによる送信が遅延されることが好適である。
【００２８】
特定の実施形態では、ＩＥＥＥ８０２．１１とＢｌｕｅｔｏｏｔｈのサービスはほとんどの環境下で同時に送信可能であり、またほとんどの環境下で同時に受信可能である。しかし、アプリケーションによっては双方のサービスからの同時「送信」の抑制を要求するものもある。
【００２９】
ワイヤレス・サービス間のハードワイヤード・インターフェース（例えば２線インターフェース）はメディアのアクティブ状態に関するリアルタイム情報を提供し、さらに、ＩＥＥＥ８０２．１１とＢＴとが通信システム内で共存しているが、同じＰＣＢ内にコロケートされていない場合、すなわちエッジ・コネクタのような特定のインターフェースを介した規定の相互接続を伴う別個のボードにある場合にシステムの相互接続のフレキシビリティをもたらす。勿論、ＩＥＥＥ８０２．１１とＢＴとがＰＣ  ＩＥＥＥ８０２．１１とＢＴとがＰＣＢとレースの実行により同じＰＣＢ上にコロケートされている場合は、簡易な２線インターフェースを同じように活用することも可能であろう。
【００３０】
図７は典型的なハードワイヤード・インターフェース（例えば２線相互接続）を含む、本発明の原理に基づく典型的なＩＥＥＥ  ８０２．１１無線システム１００と、Ｂｌｕｅｔｏｏｔｈベースバンド装置１５０を示す。
【００３１】
より具体的には、図７に示されているように、共存するワイヤレス・システム１００、１５０は相互の間にＢｌｕｅｔｏｏｔｈメディア通信中（ＢＴＭＢｓｙ）とＷＬＡＮメディア通信中（ＷＬＭＢｓｙ）を含む直接通信リンクを含んでいる。
【００３２】
メールボックスのような共用リソースを使用することによって、異質のワイヤレス・サービスは異質のサービス間でローカル・メッセージを往復して送ることができる。基本タイミング、Ｑｏｓ状態、動作モード、周波数ホッピング情報、チャネル選択情報、およびアプリケーション情報、８０２．１１のチャネル情報、および一般デバイス状態情報をサービス間で共用してもよい。
【００３３】
ＴＸとＲＸとが生じた場合、そのＲＦタイム・スロットの時分割特性のためＢＴだけが事前にそれを知ることに留意されたい。したがってＷＬＡＮインターフェースには、ＢｌｕｅｔｏｏｔｈのようなＲＦタイム・スロット・ワイヤレス・サービスがそのメディアにアクセスする時点に関する重要な情報（すなわちＢＴがいつ着信フレームの受信を要求するのか、いつ送信するのか、メディアが通信中であることを要求する期間の長さなど）を提供することができる。
【００３４】
好適な実施形態では、非対称モードにある間、ワイヤレス・サービスは（例えば直接書き込みインターフェース、メールボックスなどのような）直接通信リンクを利用して互いに割り込んでもよい。タイミング基準ポイントに関する情報を提供するために直接通信リンクを利用してもよい。
【００３５】
さらに、他方のワイヤレス・サービス（例えばＷＬＡＮ）の無線周波数（ＲＦ）チャネルがＷＬＡＮシステムによって送信される際に、一方のワイヤレス・サービス（例えばＢｌｕｅｔｏｏｔｈシステム）がそのチャネルを適応的に周波数ホップできるための充分な情報をダイナミックに交換するために、直接通信リンクを利用してもよい。
【００３６】
図１は例えばＢｌｕｅｔｏｏｔｈシステムとＷｉＦｉ（ＩＥＥＥ８０２．１１）のようなコロケートされた２つのワイヤレス・サービス間に確立された直接通信リンクの、本発明の原理に基づく一実施形態のブロック図を示している。
【００３７】
具体的には、図１に示されているように、ＩＥＥＥ  ８０２．１１  ＭＡＣ１００はＷＭＡＣ１１０、ＧＰＩＯ（汎用入力／出力インターフェース）１２０、およびメモリ・インターフェース１３０を含んでいる。同様に、Ｂｌｕｅｔｏｏｔｈ（ＢＴ）ベースバンド装置１５０はＣＰＵ１８０、ＧＰＩＯ１６０、メモリ１７０を含んでいる。直接通信リンクは専用の［ｘＭＢｓｙ］信号を有する２線インターフェースを備えている。第１の「Ｂｌｕｅｔｏｏｔｈメディア通信中」信号ＢＴＭＢｓｙは、Ｂｌｕｅｔｏｏｔｈシステムがそのメディアを介して実際にパケットを受信していると、その旨を示す。第２の信号「ＷＬＡＮメディア通信中」ＷＬＭＢｓｙはＩＥＥＥ  ８０２．１１ＷＬＡＮがそのメディアを介してパケットを実際に受信していると、その旨を示す。本発明の原理に基づいて、それらのシステムが送信中であることを示すために、それらのシステムが受信していることを通知するようにセットアップされた通話中信号を利用してもよい。
【００３８】
メールボックスまたはその他の共用リソース（すなわちメモリ）を備えた直接通信リンクの場合、情報が共用リソースに書き込まれたことを伝達するためにイベント・インターフェースを利用してもよい。共用リソースは異質なワイヤレス・サービス間でローカル・メッセージを往復して送る直接通信リンクを形成する。タイミングの基準点として外部イベント・メカニズムを利用してもよい。
【００３９】
その他の重要なシステム・パラメータと共に、「Ｎ０−ＴＸタイミング・ウインドウ」または「Ｎｏ−ＲＸタイミング・ウインドウ」を伝達するためにメールボックス・インターフェースを利用することができる。ＢＴリンクでの判明している受信期間中にＷＬＡＮ送信を調整し、遅延させる企図で、この情報をＷＬＡＮシステムと共用することが可能である。このメールボックスをサポートするためには安定したタイミング基準が必要であり、この安定したタイミング・ソースを提供するためには、提案されているＢＴＳＹＮＣ信号が必要な信号であろう。
【００４０】
この実施形態では、便宜上、共用リソースはＢＴトランシーバ内に内蔵されているものとして示されている。実際には、これは「ローカル」通信システム内のどこに配置してもよいであろう。
【００４１】
図１に示されているインターフェースは、２つの専用の［ｘＭＢｕｓｙ］信号、一対の偶数信号、および同期化信号を供給する。これらのピンの定義は下記の通りである。
【表１】
2006521714.tif 000003
【００４２】
このインターフェースの基本的な想定は、ＷＬＡＮ側はフレームがそのメディアに到達する時点を予測できないということである。ＷＭＡＣはＲＸフレームが着信すると、またはこれがメディア上でフレームを送信している時はＷＬＭＢｓｙを発生可能であり、さらにＩＥＥＥ８０２．１１に規定されたＡ１アドレス・フィールドが当該局は現在アドレス指定されていない旨を告げた場合に（すなわちアドレス適合、ブロードキャスト、またはマルチキャスト・パケットがない場合）、ＷＭＡＣは上記の信号を否定、またはターンオフすることもできるものと想定可能であることに留意されたい。双方のサービスにとって通常の動作状態では、この信号がアクティブである間、Ｂｌｕｅｔｏｏｔｈ送信機は遅延し、データをＢＴメディアにアクティブに送出しないだろう。それによって最終的にはＢＴリンクの同期化にある種の問題が生じることがあり、したがって現在のモードに応じて、また場合によってはＢＴ送信機が既にどの程度遅延したかに応じて、遅延メカニズムが暫定的なものにされてもよい。
【００４３】
さらに、ＷＬＡＮでは例えばフレームをより低速度でダイナミックに分割する減速技術が好適であることがある。動作モード情報があれば、ＢＴサービスはこの信号を一体いつ無視し、送信するかに関する決定をそれ自体で下すことができる。例えば、ＢＴがサービス品質（Ｑｏｓ）リンク内にある場合は、Ｑｏｓパラメータに適合するには８０２．１１受信機の状態に関わりなく、特定の瞬間にＢＴパケットの送信を必要とすることがある。
【００４４】
ＩＥＥＥ  ８０２．１１受信機によりメディアが通信中（例えば送信または受信中）であることが示されると、ＷＬＭＢｓｙ信号はハイに駆動される。逆に、メディアが空いている場合は、この信号はロウに駆動されよう。
【００４５】
図２は本発明の原理に基づく典型的なＷＬＡＮメディア通信中（ＷＬＭＢｓｙ）信号の典型的な信号タイミングを示している。
特に、図２ａに示されているように、ＩＥＥＥ  ８０２．１１フォワード・パケットはプリアンブル２１０、ＰＬＣＰヘッダ２２０、ＭＡＣヘッダ２３０、データ２４０、およびＣＲＣエラー・チェック情報２５０を含んでいる。パケットの適正な受信後のフレーム間の短い間隔を経て、プリアンブル２６０、ＰＬＣＰヘッダ２７０、および確認応答２８０を含む確認応答パケットが送信される。フォワードＩＥＥＥパケットが検出されている間は８０２．１１規定のメディア通信中信号（Ｍｂｕｓｙ）はハイに駆動され、ＭＢｕｓｙがハイである場合には信号ＷＬＭＢｓｙは最初はハイであるが、フォワード・パケットが「自分宛ではない」すなわちこのトランシーバ宛ではなければ、ロウに駆動される。ＷＬＭＢｓｙがハイである場合にはＢｌｕｅｔｏｏｔｈ通信は遅延され、ＩＥＥＥ  ８０２．１１確認応答パケットが送信されている間はＢｌｕｅｔｏｏｔｈ信号を送信することはできない。
【００４６】
同様に、ＷＬＡＮを強制的に遅延させるために（バックオフではなく）、ＢＴＭＢｓｙ信号を利用できる。この場合は、  ＩＥＥＥ  ８０２．１１ＷＭＡＣはＷＬＡＮ  ＴＸの開始直前にＢＴＭＢｓｙ信号をサンプリングし、必要があればスロット・タイム期間（２０μｓ（８０２．１１ｂの場合）／９μｓ（８０２．１１ａ／ｇの場合））でサンプリングを遅延させる。ＩＥＥＥ  ８０２．１１のＭＢｕｓｙ信号およびＢＴＭＢｓｙ信号の簡易なＯＲ関数は好ましくないことに留意されたい。ＩＥＥＥ  ８０２．１１のＭＢｕｓｙ信号がアクティブであり、デアサート中は、バックオフ期間カウンタは初期化され、ＩＥＥＥ  ８０２．１１ＷＭＡＣはこのタイマーの満了までこのメディア上で送信することができない。ＢＴＭＢｓｙ信号がアサートされることは、ＢＴメディアは通信中であるが、この信号がデアサートされると、ＩＥＥＥ  ８０２．１１ＷＭＡＣが待ち行列のデータを送信し、このメディアで送信する準備完了である場合は、自由に送信できよう。
ＢＴＭＢｓｙ信号は下記の方程式によって定められる。
ＢＴＭＢｓｙ＝（ＰｒｅｖｅｎｔＳｉｍＴＸ  ＡＮＤ  ＴＸ＿ＢＵＳＹ）
ＯＲ（ＲＸ＿ＢＵＳＹ  ＡＮＤ  ＲＸＢｕｓｙＥｎａｂｌｅ）
ただし、
ＰｒｅｖｅｎｔＳｉｍＴＸ⇒「即時送信阻止」はシステムがＩＥＥＥ  ８０２．１１メディアおよびＢｌｕｅｔｏｏｔｈメディアでの即時の送信の阻止を要求している場合、論理レベルがハイになるソフトウェア制御可能な信号である。
ＴＸ＿ＢＵＳＹ⇒「ＴＸ通信中」はＢｌｕｅｔｏｏｔｈ送信がシステムにとってアクティブである場合に論理レベルがハイである。
ＲＸ＿ＢＵＳＹ⇒「ＲＸ通信中」はＢｌｕｅｔｏｏｔｈ受信がシステムにとってアクティブである場合に論理レベルがハイである。
ＲＸＢｕｓｙＥｎａｂｌｅ⇒「ＲＸ通信中イネーブル」は、ＩＥＥＥ８０２．１１ＭＡＣに対して、Ｂｌｕｅｔｏｏｔｈ受信ウインドウが開いていることを示すために、Ｂｌｕｅｔｏｏｔｈベースバンドが受信中に論理レベルがハイになるソフトウェア制御可能な信号である。
【００４７】
図３は本発明の原理に基づく、典型的な非同期モードで動作中のＢｌｕｅｔｏｏｔｈ  ＢＴＭＢｓｙ信号のタイミングを示している。
特に、図３に示されているように、第１のＢｌｕｅｔｏｏｔｈパケットはヘッダ３１０とデータ３２０とを含み、第２のパケットはヘッダ３３０とデータ３４０とを含んでいる。実線はＢｌｕｅｔｏｏｔｈパケットがＢＴベースバンド装置に宛てられていない場合のＢＴＭＢｓｙ信号を表わし、一方、ＢＴＭＢｓｙ信号内の点線は、ＢＴパケットがＢＴベースバンド装置に宛てられている場合に，ＢＴＭＢｓｙ信号がパケットの終了までハイレベルに留まることを示している。異なる２つの実施形態が示されており、これらはオプション１およびオプション２と示されている。
【００４８】
オプション１では、ＢＴベースバンド装置による相関されたデータが受信されたことの認識に基づいて、ＢＴＭＢｓｙ信号は７２マイクロ秒でアクティブに駆動される。次に、ヘッダ・データが終了すると、ＢＴベースバンド装置は次に（受信されたデータがそれ宛である場合は）信号をアクティブ状態に保つか、または、受信されたデータがそれ宛ではない場合は、信号をイナクティブ（ロウ）に駆動することができる。この実施形態は、いずれかのパケットがそのスロット中にメディア上にあるか否かをＢＴベースバンドが判定する期間中の干渉を低減することができないという短所を有している。
【００４９】
オプション２では、相関されたデータが受信されたか否かにかかわらず、ＢＴ受信スロットの開始時にＢＴＭＢｓｙ信号がアクティブに駆動される。これが実行されるのは、いずれかのパケットがそのスロット中にメディア上にあるか否かをＢＴベースバンドが判定しようとする期間中の干渉の可能性を低減することであろう。次に、メディア上にパケットがない場合、またはヘッダの終了時にパケットがあるが、それはこのデバイス宛ではない場合は、ＢＴＭＢｓｙ信号は７２マイクロ秒でロウに駆動可能であろう。パケットが着信し、それがこのデバイス宛である場合は、ＢＴＭＢｓｙはデータの終了までアクティブであろう。
【００５０】
このインターフェースの基本的想定は、ＷＬＡＮサイドはフレームの到達時を予測できないということである。しかし、ＢｌｕｅｔｏｏｔｈはＴＸおよびＲＸの発生時を事前に予測する潜在能力を有している。このモードでは、ＷＬＡＮインターフェースに対してＢＴリンクがいつそのメディアにアクセスするかの重要な情報を提供する信号がイベントに事前に送られることが可能である。ＢＴが着信フレームの受信をいつ要求するか、いつ送信するか、ならびにメディアの通信中の状態をいつまで要求するかのような情報は、「メールボックス」リソースを介してＷＭＡＣに信号発信できる。
【００５１】
メールボックスは１つ以上の記憶域であると考えてよく、したがって全二重通信を行うために（少なくとも１つが各通信方向向けに指定された）１つ以上の記憶域が使用されていることを伝達するための「複数のメールボックス」であると考えてよい。
【００５２】
ＢＴサイドが、フレームがいつ到達するかを認識するエンティティであるとすると、ＥＶＥＮＴインターフェースの利用はＢＴではＷＬＡＮ方向により多く利用される公算がある。送信／受信スケジュールを送るにはＷＭＡＣ内でＢＴの時間を知る必要がある。ＢＴの時間をＷＭＡＣに通信できる信号は本明細書ではＢＴＳＹＮＣと呼ばれる。
【００５３】
ＷＬＡＮメディア上に優先度が高いトラフィックが存在するある時間では、ＢＴサイドにトラフィック輻輳情報を提供することが重要であろうが、この動作はおそらく極めてスタティックなものである。典型的なＷＭＡＣの場合、ＢＴＳＹＮＣイベントの立ち上がり端と関連する情報処理の開始との間の待ち時間は決定的であり、精度は＋／−数マイクロ秒である。
【００５４】
ＢＴＳＹＮＣ信号はシステムが現在アクティブ名Ｂｌｕｅｔｏｏｔｈリンク内にある場合だけアクティブになるものと見込まれる。そのために、ＢＴＳＹＮＣ信号は下記の条件でロウに駆動される。
［１］システムがＢｌｕｅｔｏｏｔｈリンクに関与していない。
［２］システムがパーク、ホールド、またはスニフ・モードにあるＢｌｕｅｔｈｏｏｔｈリンクに関与している。
【００５５】
図４は本発明の原理に基づくＢｌｕｅｔｏｏｔｈ  ＢＴＳＹＮＣ信号の典型的な同期信号タイミングを示している。
特に、図４に示されているように、ＢＴＳＹＮＣ信号は各Ｔｒａｎｓｍｉｔ（ＴＸ）期間の開始後にハイｔ４に駆動され、各Ｒｅｃｅｉｖｅ（ＲＸ）期間の開始後にロウｔ５に駆動される。各サービスに対して、メールボックス・データが着信し、かつ／または現在有効であることを信号通信するためにｘＤＡＴＡＶＡＬＩＤ信号が用いられる。メールボックスに書き込まれるデータの種類はｘＤＡＴＡＶＡＬＩＤ信号の動作にとって重要ではない。
【００５６】
ＢＴＤＡＴＡＶＡＬＩＤの目的はＢｌｕｅｔｏｏｔｈベースバンドによって書き込まれたＢＴメールボックス・データの妥当性、ひいてはＩＥＥＥ  ８０２．１１  ＭＡＣがＢＴメールボックスをいつ読むべきかを示すことにある。ＢＴＤＡＴＡＶＡＬＩＤハイはＢＴメールボックス・データが妥当であることを意味し、ＩＥＥＥ  ８０２．１１  ＭＡＣによって読まれてもよい。ＢＴＤＡＴＡＶＡＬＩＤロウはＢＴメールボックス・データが妥当ではない（更新されている）ことを意味し、ＩＥＥＥ  ８０２．１１  ＭＡＣによって読まれるべきではない。
【００５７】
ＩＥＥＥ  ８０２．１１  ＭＡＣイベントはＢＴＤＡＴＡＶＡＬＩＤ信号の立ち上がり端上にあるものと想定される。ＢＴＤＡＴＡＶＡＬＩＤ信号はＢＴメールボックスに書き込み中にＢｌｕｅｔｏｏｔｈベースバンドによってロウに駆動されることに留意されたい。
図５は本発明の原理に基づく典型的なＢＴＤＡＴＡＶＡＬＩＤ信号の特性を示している。
【００５８】
特に、図５に示されているように、３つのＢｌｕｅｔｏｏｔｈフレームが順次ｎ−２、ｎ−１、およびｎで示され、６２５マイクロ秒の継続時間を有する送信期間（ＴＸ）、および受信期間（ＲＸ）を各々が含んでいる。ＢＴＤＡＴＡＶＡＬＩＤ信号はｔ１の時間にはフレームｎ−１内でハイレベルに留まり、その後、ｔ３の時間にロウレベルになり、ｔ２の時間に再びハイレベルに戻り、フレームｎの場合も同様であることが示されている。ＢＴＤＡＴＡＶＡＬＩＤがハイである場合、ＩＥＥＥ  ８０２．１１ＭＡＣはＢＴメールボックスを読むことができる。ＢＴＤＡＴＡＶＡＬＩＤ  がｔ３の時間中にロウである場合は、ＢＴベースバンド装置はＢＴメールボックスに書き込んでもよく、次の連続フレーム向けのＢＴメールボックスは更新される。
【００５９】
ＷＬＤＡＴＡＶＡＬＩＤの目的はＩＥＥＥ  ８０２．１１ＭＡＣによって書き込まれたＷＬメールボックス・データの妥当性、ひいてはＢｌｕｅｔｏｏｔｈベースバンドがＷＬメールボックスをいつ読むべきかを示すことにある。ＷＬＤＡＴＡＶＡＬＩＤ信号のハイ状態はＷＬメールボックス・データが妥当であることを意味し、したがってＢｌｕｅｔｏｏｔｈベースバンド・システムによって読まれてもよい。ＷＬＤＡＴＡＶＡＬＩＤ信号のロウ状態はＷＬメールボックス・データが妥当ではない（すなわち更新されている）ことを意味し、Ｂｌｕｅｔｏｏｔｈベースバンド・システムによって読まれるべきではない。
開示されている実施形態では、ＷＬＤＡＴＡＶＡＬＩＤ信号は、ＷＭＡＣがＷＬメールボックスに書き込む時にＩＥＥＥ  ８０２．１１  ＭＡＣによってロウに駆動される。
【００６０】
図６は、ＩＥＥＥ  ８０２．１１（ＷｉＦｉ）データが妥当である場合を示す、本発明の原理に基づく典型的なＢＴＤＡＴＡＶＡＬＩＤ信号の特性を示している。
特に、図６に示されているように、ＷＭＡＣ  ＢＴＤＡＴＡＶＡＬＩＤ読み取りプロトコルは下記の表に示される通りである。
【表２】
2006521714.tif 000004
【００６１】
Ａｗａｔｅｒ他の米国特許出願第２００１／１０６８９  Ａ１号はＢｌｕｅｔｏｏｔｈ音声リンクに関連する共存システム（ＳＣＯ）を記載している。Ａｗａｔｅｒ他に公刊出願のタイミング図は（ＳＣＯリンク用の種類のパケットである）ＨＶ（高音質音声）パケットのみに言及している。本発明はＳＣＯリンクを含んではいるが、Ｂｌｕｅｔｏｏｔｈ非対称無接続（ＡＣＬ）リンク向けの共存をも提案している。
【００６２】
本発明は、コロケートされた異質な２つのワイヤレス・システムが、双方の間に直接通信通信リンクを含めることで相互の干渉を回避し、包括的に状態情報を交換できるようにする手段を提供する。典型的な状態情報は、それらに限定されるものではないが、例えば交換スケジュール情報、動作モード情報、８０２．１１チャネル利用情報、および／またはデバイス状態情報を含んでいる。８０２．１１チャネル利用情報は例えば、同時に使用されている８０２．１１チャネルをＢｌｕｅｔｏｏｔｈシステムによって適応的にホッピングできるようにするために利用されてもよい。
【００６３】
本明細書に記載した直接通信インターフェースによって、異質な各ワイヤレス・サービスが共通の、または近接した周波数帯域の利用をそれ自体で決定することが可能になる。
本明細書に記載された解決方法は、例えばハードワイヤード直接通信リンクをサポートするために幾つものピンを備えることによって、ＢＴおよびＩＥＥＥ  ８０２．１１トランシーバ間での動作可能な共存を可能にする直裁な態様で実施してもよい。
【００６４】
本発明を典型的な実施形態を参照して説明してきたが、当業者は本発明の真の趣旨および範囲から逸脱することなく、記載された本発明の実施形態に様々な修正を行うことが可能である。
【図面の簡単な説明】
【００６５】
【図１】本発明の原理に基づく、コロケートされた２つのワイヤレス・サービス間に確立された直接通信リンクの一実施形態のブロック図である。
【図２】本発明の原理に基づく、典型的なＷＬＡＮメディア通信中（ＷＬＭＢｓｙ）信号の典型的な信号タイミングを示す図である。
【図３】本発明の原理に基づく、非同期モードで動作中の典型的なＢｌｕｅｔｏｏｔｈ  ＢＴＭＢｓｙ信号のタイミングを示す図である。
【図４】本発明の原理に基づく、Ｂｌｕｅｔｏｏｔｈ  ＢＴＳＹＮＣ信号の典型的な同期信号のタイミングを示す図である。
【図５】本発明の原理に基づく、典型的なＢＴＤＡＴＡＶＡＬＩＤ信号の特性を示す図である。
【図６】本発明の原理に基づく、ＩＥＥＥ  ８０２．１１（ＷｉＦｉ）データが妥当である場合を示す典型的なＢＴＤＡＴＡＶＡＬＩＤの特性を示す図である。
【図７】本発明の原理に基づく、典型的なハードワイヤード・インターフェース（例えば２線相互接続）を含む典型的なＩＥＥＥ  ８０２．１１無線システムおよびＢｌｕｅｔｏｏｔｈベースバンド装置を示す図である。
【図１】
2006521714.tif 000005
【図２】
2006521714.tif 000006
【図３】
2006521714.tif 000007
【図４】
2006521714.tif 000008
【図５】
2006521714.tif 000009
【図６】
2006521714.tif 000010
【図７】
2006521714.tif 000011
【手続補正書】
【提出日】平成18年3月15日(2006.3.15)
【手続補正１】
【補正対象書類名】特許請求の範囲
【補正対象項目名】全文
【補正方法】変更
【補正の内容】
【特許請求の範囲】
【請求項１】
第１の動作周波数範囲で動作する第１ワイヤレス・システムと、第２の動作周波数範囲で動作する第２ワイヤレス・システムとの間の送信干渉を回避する方法であって、前記第１ワイヤレス・システムと前記第２ワイヤレス・システムとが同一場所に配置されている方法において、
前記第１ワイヤレス・システムから前記第２ワイヤレス・システムに無線状態の情報を送る工程と、
前記第１ワイヤレス・システムによって供給された媒体状態の情報に基づいて前記第２ワイヤレス・システムによる送信を遅延させる工程とを含み、
前記第１ワイヤレス・システムと前記第２ワイヤレス・システムとの内の一方がＲＦタイム・スロットで送信し、および
前記第１ワイヤレス・システムと前記第２ワイヤレス・システムとの双方の同時的な無線送信が回避される方法。
【請求項２】
第１の動作周波数範囲で動作する第１ワイヤレス・システムと、第２の動作周波数範囲で動作する第２ワイヤレス・システムとの間の送信干渉を回避する方法であって、前記第１ワイヤレス・システムと前記第２ワイヤレス・システムとが同一場所に配置されており、
前記第１ワイヤレス・システムによって利用される第１の動作周波数範囲は前記第２ワイヤレス・システムによって利用される第２の動作周波数範囲と少なくとも部分的に重複する請求項１に記載の方法。
【請求項３】
第１の動作周波数範囲で動作する第１ワイヤレス・システムと、第２の動作周波数範囲で動作する第２ワイヤレス・システムとの間の送信干渉を回避する方法であって、前記第１ワイヤレス・システムと前記第２ワイヤレス・システムとが同一場所に配置されており、
前記第２ワイヤレス・システムから前記第１ワイヤレス・システムに無線状態の情報を送る工程をさらに含む請求項１に記載の方法。
【請求項４】
第１の動作周波数範囲で動作する第１ワイヤレス・システムと、第２の動作周波数範囲で動作する第２ワイヤレス・システムとの間の送信干渉を回避する方法であって、前記第１ワイヤレス・システムと前記第２ワイヤレス・システムとが同一場所に配置されており、
前記無線状態の情報は送信のタイミングを含む請求項１に記載の方法。
【請求項５】
第１の動作周波数範囲で動作する第１ワイヤレス・システムと、第２の動作周波数範囲で動作する第２ワイヤレス・システムとの間の送信干渉を回避する方法であって、前記第１ワイヤレス・システムと前記第２ワイヤレス・システムとが同一場所に配置されており、前記無線状態の情報は、
受信動作のタイミングを含む請求項１に記載の方法。
【請求項６】
前記無線状態の情報は、
周波数ホッピング情報を含む請求項１に記載の方法。
【請求項７】
前記無線状態の情報は、
ＩＥＥＥ８０２．１１チャネル情報を含む請求項１に記載の方法。
【請求項８】
第１の動作周波数範囲で動作する第１ワイヤレス・システムと、第２の動作周波数範囲で動作する第２ワイヤレス・システムとの間の送信干渉を回避する方法であって、前記第１ワイヤレス・システムと前記第２ワイヤレス・システムとが同一場所に配置されており、
前記第１ワイヤレス・システムはピコネットである請求項１に記載の方法。
【請求項９】
第１の動作周波数範囲で動作する第１ワイヤレス・システムと、第２の動作周波数範囲で動作する第２ワイヤレス・システムとの間の送信干渉を回避する方法であって、前記第１ワイヤレス・システムと前記第２ワイヤレス・システムとが同一場所に配置されており、
前記第２ワイヤレス・システムはＷＬＡＮである請求項１に記載の方法。
【請求項１０】
第１の動作周波数範囲で動作する第１ワイヤレス・システムと、第２の動作周波数範囲で動作する第２ワイヤレス・システムとの間の送信干渉を回避する方法であって、前記第１ワイヤレス・システムと前記第２ワイヤレス・システムとが同一場所に配置されており、
前記第１ワイヤレス・システムはピコネットであり、
前記第２ワイヤレス・システムはＷＬＡＮである請求項１に記載の方法。
【請求項１１】
第１の動作周波数範囲で動作する第１ワイヤレス・システムと、第２の動作周波数範囲で動作する第２ワイヤレス・システムとの間の送信干渉を回避する方法であって、前記第１ワイヤレス・システムと前記第２ワイヤレス・システムとが同一場所に配置されており、
前記ピコネットはＢＬＵＥＴＯＯＴＨピコネットであり、
前記ＷＬＡＮはＩＥＥＥ８０３．１１ＷＬＡＮである請求項１に記載の方法。
【請求項１２】
第１の動作周波数範囲で動作する第１ワイヤレス・システムと、第２の動作周波数範囲で動作する第２ワイヤレス・システムとを組み込んだデバイスであって、前記第１ワイヤレス・システムと前記第２ワイヤレス・システムとが同一場所に配置されているデバイスにおいて、
直接通信リンクを介して前記第１ワイヤレス・システムから前記第２ワイヤレス・システムへと供給され、前記第１ワイヤレス・システムでの受信のタイミングを示す第１通信中信号と、
直接通信リンクを介して前記第２ワイヤレス・システムから前記第１ワイヤレス・システムへと供給され、前記第２ワイヤレス・システムでの受信のタイミングを示す第２通信中信号と、
前記第１通信中信号に応答し、前記第１ワイヤレス・システムのアクティブな送信状態により前記第２ワイヤレス・システムが送信を遅延させるように構成されたコントローラと、を含み、
前記第１ワイヤレス・システムと前記第２ワイヤレス・システムとの内の一方がＲＦタイム・スロットで送信するようになっているデバイス。
【請求項１３】
第１の動作周波数範囲で動作する第１ワイヤレス・システムと、第２の動作周波数範囲で動作する第２ワイヤレス・システムとを組み込んだデバイスであって、前記第１ワイヤレス・システムと前記第２ワイヤレス・システムとが同一場所に配置されており、前記直接通信リンクは、
前記第１ワイヤレス・システムと前記第２ワイヤレス・システムとの間にメールボックスを形成する共有リソースを含む請求項１２に記載のデバイス。
【請求項１４】
第１の動作周波数範囲で動作する第１ワイヤレス・システムと、第２の動作周波数範囲で動作する第２ワイヤレス・システムとを組み込んだデバイスであって、前記第１ワイヤレス・システムと前記第２ワイヤレス・システムとが同一場所に配置されており、前記直接通信リンクは、
前記第１ワイヤレス・システムと前記第２ワイヤレス・システムとの間にハードワイヤード・インターフェースを含む請求項１２に記載のデバイス。
【請求項１５】
第１の動作周波数範囲で動作する第１ワイヤレス・システムと、第２の動作周波数範囲で動作する第２ワイヤレス・システムとを組み込んだデバイスであって、前記第１ワイヤレス・システムと前記第２ワイヤレス・システムとが同一場所に配置されており、
前記ハードワイヤード・インターフェースは、
２線双方向インターフェースを含む請求項１４に記載のデバイス。
【請求項１６】
第１の動作周波数範囲で動作する第１ワイヤレス・システムと、第２の動作周波数範囲で動作する第２ワイヤレス・システムとを組み込んだデバイスであって、前記第１ワイヤレス・システムと前記第２ワイヤレス・システムとが同一場所に配置されており、
前記第１ワイヤレス・システムはＢｌｕｅｔｏｏｔｈ無線フロントエンドを含むとともに、
前記第２ワイヤレス・システムはＩＥＥＥ８０２．１１無線フロントエンドを含む請求項１２に記載のデバイス。
【請求項１７】
第１の動作周波数範囲で動作する第１ワイヤレス・システムと、第２の動作周波数範囲で動作する第２ワイヤレス・システムとを組み込んだデバイスであって、前記第１ワイヤレス・システムと前記第２ワイヤレス・システムとが同一場所に配置されており、
前記第１ワイヤレス・システムはＢｌｕｅｔｏｏｔｈ同期信号を発生し、前記同期信号は前記第１ワイヤレス・システムのアクティブなタイム・スロット間のＩＥＥＥ８０２．１１パケットの多重化を制御する請求項１６に記載のデバイス。
【請求項１８】
第１の動作周波数範囲で動作する第１ワイヤレス・システムと、第２の動作周波数範囲で動作する第２ワイヤレス・システムとを組み込んだデバイスであって、前記第１ワイヤレス・システムと前記第２ワイヤレス・システムとが同一場所に配置されており、前記コントローラは、
前記第１ワイヤレス・システムと前記第２ワイヤレス・システムとの間で情報を交換するための少なくとも１つのメールボックスを備える請求項１２に記載のデバイス。
【請求項１９】
第１の動作周波数範囲で動作する第１ワイヤレス・システムと、第２の動作周波数範囲で動作する第２ワイヤレス・システムとを同一場所に配置する方法であって、
前記第１ワイヤレス・システムでのアクティブな受信のタイミングを示す直接通信リンクを介して前記第１ワイヤレス・システムによって第１通信中信号を前記第２ワイヤレス・システムへと供給する工程と、
前記第２ワイヤレス・システムでのアクティブな受信のタイミングを示す前記直接通信リンクを介して前記第２ワイヤレス・システムによって第２通信中信号を前記第１ワイヤレス・システムへと供給する工程と、
前記第１通信中信号に応答し、前記第１ワイヤレス・システムのアクティブな送信状態により前記第２ワイヤレス・システムが送信を遅延するようにさせるコントローラとを含み、
前記第１ワイヤレス・システムと前記第２ワイヤレス・システムの一方がＲＦタイム・スロットで送信するようになっている方法。
【請求項２０】
第１の動作周波数範囲で動作する第１ワイヤレス・システムと、第２の動作周波数範囲で動作する第２ワイヤレス・システムとを同一場所に配置する方法であって、前記直接通信リンクは、
前記第１ワイヤレス・システムと前記第２ワイヤレス・システムとの間にメールボックスを形成する共有リソースを含む請求項１９に記載の方法。
【請求項２１】
第１の動作周波数範囲で動作する第１ワイヤレス・システムと、第２の動作周波数範囲で動作する第２ワイヤレス・システムとを同一場所に配置する方法であって、前記直接通信リンクは、
前記第１ワイヤレス・システムと前記第２ワイヤレス・システムとの間にハードワイヤード・インターフェースを含む請求項１９に記載の方法。
【請求項２２】
第１の動作周波数範囲で動作する第１ワイヤレス・システムと、第２の動作周波数範囲で動作する第２ワイヤレス・システムとを同一場所に配置する方法であって、
前記ハードワイヤード・インターフェースは、
２線双方向インターフェースを含む請求項２１に記載の方法。
【請求項２３】
第１の動作周波数範囲で動作する第１ワイヤレス・システムと、第２の動作周波数範囲で動作する第２ワイヤレス・システムとを同一場所に配置する方法であって、前記第１ワイヤレス・システムと前記第２ワイヤレス・システムとが同一場所に配置されており、
前記第１ワイヤレス・システムはＢｌｕｅｔｏｏｔｈ無線フロントエンドを含むとともに、
前記第２ワイヤレス・システムはＩＥＥＥ８０２．１１無線フロントエンドを含む請求項１９に記載の方法。
【請求項２４】
第１の動作周波数範囲で動作する第１ワイヤレス・システムと、第２の動作周波数範囲で動作する第２ワイヤレス・システムとを同一場所に配置する方法であって、前記第１ワイヤレス・システムと前記第２ワイヤレス・システムとが同一場所に配置されており、
前記第１ワイヤレス・システムと前記第２ワイヤレス・システムとの間で情報を交換するための少なくとも１つのメールボックスを備える工程をさらに含む請求項１９に記載の方法。
【国際調査報告】
2006521714.tif 000012